【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
マイクロストリップラインからスロットラインへ信号を遷移するための遷移回路であって、
−グランドプレーンを備えた基板と、
−前記グランドプレーンから予め定められた距離で前記基板に実現されると共に第１の入力／出力ポートから延びるマイクロストリップライン、および前記グランドプレーンに実現されたスロットであって、前記マイクロストリップラインにほぼ垂直に第２の入力／出力ポートまで延び、前記遷移回路のいわゆる結合区域において前記マイクロストリップラインに交差するスロットラインを形成するスロットと、
を備え、
前記マイクロストリップラインが、前記第１の入力／出力ポートと前記結合区域の間で信号を伝える第１のマイクロストリップライン部分と、第２のマイクロストリップライン部分とを備え、
前記スロットラインが、前記結合区域と前記第２の入力／出力ポートの間で前記信号を伝える第１のスロットライン部分と、第２のスロットライン部分とを備え、
前記スロットラインが、前記第２のスロットライン部分を介して前記結合区域に接続された第１のフィルタリング回路を備え、前記第１のフィルタリング回路および前記第２のスロットライン部分が、前記結合区域において、前記信号の少なくとも１つの望ましい周波数について開放回路のインピーダンスにほぼ等しいインピーダンス、および前記信号の少なくとも１つの望ましくない周波数について短絡回路のインピーダンスにほぼ等しいインピーダンスを前記スロットライン上で与えるようにインピーダンス整合されている、前記遷移回路。
【請求項２】
前記マイクロストリップラインが、前記第２のマイクロストリップライン部分を介して前記結合区域に接続された第２のフィルタリング回路を備え、前記第２のフィルタリング回路および前記第２のマイクロストリップライン部分が、前記結合区域において、前記少なくとも１つの望ましい周波数について短絡回路のインピーダンスにほぼ等しいインピーダンス、および前記少なくとも１つの望ましくない周波数について前記開放回路のインピーダンスにほぼ等しいインピーダンスを前記マイクロストリップライン上で与えるようにインピーダンス整合されている、請求項１に記載の遷移回路。
【請求項３】
前記第１のフィルタリング回路が、負荷抵抗器に接続されたフィルタであり、前記少なくとも１つの望ましい周波数を阻止できると共に前記少なくとも１つの望ましくない周波数を通すことができ、前記第２のスロットライン部分が、前記少なくとも１つの望ましい周波数について４分の１波長のスロットラインにほぼ対応する、請求項１又は２に記載の遷移回路。
【請求項４】
前記第２のフィルタリング回路が、負荷抵抗器に接続されたフィルタであり、前記少なくとも１つの望ましい周波数を阻止できると共に前記少なくとも１つの望ましくない周波数を通すことができ、前記第２のマイクロストリップライン部分が、前記少なくとも１つの望ましい周波数について４分の１波長のマイクロストリップラインにほぼ対応する、請求項２に従属する場合の請求項３に記載の遷移回路。
【請求項５】
前記第１のフィルタリング回路および前記第２のフィルタリング回路は、帯域阻止フィルタである、請求項４に記載の遷移回路。
【請求項６】
前記第１のフィルタリング回路および前記第２のフィルタリング回路は、帯域通過フィルタである、請求項４に記載の遷移回路。
【請求項７】
前記基板は、ＦＲ４型である、請求項１から６のいずれか一項に記載の遷移回路。
【請求項８】
請求項１から７のいずれか一項に記載の少なくとも１つの遷移回路を備える、マルチスタンダード端末。
【手続補正２】
【補正対象書類名】明細書
【補正対象項目名】００４７
【補正方法】変更
【補正の内容】
【００４７】
さらに、いくつかの変形例が可能である。
−遷移回路の周波数選択性能を損ねるほどのマイクロストリップラインに取り付けられたフィルタＳＢＦｍは、なくすことができる。
−スロットアンテナの励起への応用は別として、回路は、標準的なスロットライン／マイクロストリップライン遷移回路（逆遷移回路）をポートＰ２に接続するのに十分である場合、送受信チェーンに挿入される標準的なフィルタリング回路として使用することもできる。
−遷移回路の応答は、フィルタがある場合、周波数の調節が可能とすることができる。
［付記１］
マイクロストリップラインからスロットラインへの遷移のための回路であって、
−グランドプレーンを備えた基板（Ｓ）と、
−前記グランドプレーンから予め定められた距離で前記基板に実現されると共に第１の入力／出力ポート（Ｐ１）から延びるマイクロストリップライン（１）、および前記マイクロストリップラインにほぼ垂直に第２の入力／出力ポート（Ｐ２）まで延び、前記遷移回路のいわゆる結合区域（Ｚ）において前記マイクロストリップラインに交差するスロットライン（２）を形成する前記グランドプレーンに実現されたスロットと、
を備え、
前記マイクロストリップラインが、前記第１の入力／出力ポートと前記結合区域の間で信号を伝える第１のマイクロストリップライン部分（１１）と、第２のマイクロストリップライン部分（１３）とを備え、
前記スロットラインが、前記結合区域と前記第２の入力／出力ポートの間で前記信号を伝える第１のスロットライン部分（２１）と、第２のスロットライン部分（２３）とを備える回路において、
前記スロットライン（２）が、前記第２のスロットライン部分を介して前記結合区域に接続された第１のフィルタリング回路（ＳＢＦｓ）を備え、前記第１のフィルタリング回路および前記第２のスロットライン部分が、前記結合区域において前記スロットラインで前記信号の少なくとも１つの望ましい周波数について開放回路のインピーダンスにほぼ等しいインピーダンス、および前記信号の少なくとも１つの望ましくない周波数について短絡のインピーダンスにほぼ等しいインピーダンスを与えるようにインピーダンスが整合されていることを特徴とする、前記回路。
［付記２］
前記マイクロストリップラインが、前記第２のマイクロストリップライン部分を介して前記結合区域に接続された第２のフィルタリング回路（ＳＢＦｍ）を備え、前記第２のフィルタリング回路および前記第２のマイクロストリップライン部分が、前記結合区域において前記マイクロストリップラインで前記少なくとも１つの望ましい周波数について前記短絡のインピーダンスにほぼ等しいインピーダンス、および前記少なくとも１つの望ましくない周波数について前記開放回路のインピーダンスにほぼ等しいインピーダンスを与えるようにインピーダンスが整合されていることを特徴とする、付記１に記載の遷移回路。
［付記３］
前記第１のフィルタリング回路が、負荷抵抗器（Ｒｓ）に接続されたフィルタ（ＳＢＦｓ）であり、前記少なくとも１つの望ましい周波数を阻止できると共に前記少なくとも１つの望ましくない周波数を通すことができ、前記第２のスロットライン部分が、前記少なくとも１つの望ましい周波数について４分の１波長のスロットラインにほぼ対応することを特徴とする、付記１又は２に記載の遷移回路。
［付記４］
前記第２のフィルタリング回路が、負荷抵抗器（Ｒｍ）に接続されたフィルタ（ＳＢＦｍ）であり、前記少なくとも１つの望ましい周波数を阻止できると共に前記少なくとも１つの望ましくない周波数を通すことができ、前記第２のマイクロストリップライン部分が、前記少なくとも１つの望ましい周波数について４分の１波長のマイクロストリップラインにほぼ対応することを特徴とする、付記２に従属する場合の付記３に記載の遷移回路。
［付記５］
前記第１のフィルタリング回路および前記第２のフィルタリング回路は、帯域消去フィルタであることを特徴とする、付記４に記載の遷移回路。
［付記６］
前記第１のフィルタリング回路および前記第２のフィルタリング回路は、帯域通過フィルタであることを特徴とする、付記４に記載の遷移回路。
［付記７］
前記基板は、ＦＲ４型であることを特徴とする、付記１乃至６のいずれか一項に記載の遷移回路。
［付記８］
付記１乃至７のいずれか一項に記載の少なくとも１つの遷移回路を備えることを特徴とする、マルチスタンダード端末。